(57)【要約】【課題】著しく簡単な操作によって、その時々で、サムネイル表示される複数の画像中の任意の画像のみを、任意の順序で繰り返し、スライドショー表示させることができるようにする。【解決手段】サムネイル表示モードにおいて、ユーザは、任意の複数の画像のチェックボックスに、任意のスライドショー表示させようとする順序で順次、タッチすることによって、当該の複数の画像をスライドショー表示用に選択する。ＣＰＵは、その選択された複数の画像を、スライドショー表示する画像として決定するとともに、その選択された複数の画像の選択された順に、スライドショー表示の表示順位を設定し、スライドショー開始ボタン１３がタッチされたとき、スライドショー表示する。【選択図】図８
2007256971.tif 000002
【特許請求の範囲】
【請求項１】
一群を構成する複数の画像が一覧縮小表示されている状態で、その複数の画像中の一部または全部の複数の画像が選択されたとき、その選択された複数の画像を、順次拡大表示する画像として決定するとともに、その選択された複数の画像の選択された順に、順次拡大表示の表示順位を設定する第１のステップと、
順次拡大表示の開始が指示されたとき、上記第１のステップで決定した複数の画像を、上記第１のステップで設定した表示順位に従って、一定の時間間隔で、順次拡大表示の終了が指示されるまで繰り返し、順次拡大表示する第２のステップと、
この第２のステップで順次拡大表示中に、順次拡大表示の終了が指示されたとき、上記一群を構成する複数の画像を一覧縮小表示する状態に復帰する第３のステップと、
を備えることを特徴とする画像表示制御方法。
【請求項２】
請求項１の画像表示制御方法において、
上記時間間隔は、複数通りの時間間隔の中から選択された時間間隔とすることを特徴とする画像表示制御方法。
【請求項３】
請求項１または２の画像表示制御方法において、
上記第１のステップでは、画像またはそのファイル名の表示部分がタッチまたはクリックされることによって、当該の画像が選択されたと判断する画像表示制御方法。
【請求項４】
一群を構成する複数の画像が一覧縮小表示されている状態で、その複数の画像中の一部または全部の複数の画像が選択されたとき、その選択された複数の画像を、順次拡大表示する画像として決定するとともに、その選択された複数の画像の選択された順に、順次拡大表示の表示順位を設定する第１の手段と、
順次拡大表示の開始が指示されたとき、上記第１の手段で決定された複数の画像を、上記第１の手段で設定された表示順位に従って、一定の時間間隔で、順次拡大表示の終了が指示されるまで繰り返し、順次拡大表示する第２の手段と、
この第２の手段によって順次拡大表示中に、順次拡大表示の終了が指示されたとき、上記一群を構成する複数の画像を一覧縮小表示する状態に復帰させる第３の手段と、
を備えることを特徴とする画像表示制御装置。
【請求項５】
請求項４の画像表示制御装置において、
上記時間間隔は、複数通りの時間間隔の中から選択された時間間隔とされることを特徴とする画像表示制御装置。
【請求項６】
請求項４または５の画像表示制御装置において、
上記第１の手段は、画像またはそのファイル名の表示部分がタッチまたはクリックされることによって、当該の画像が選択されたと判断する画像表示制御装置。
【発明の詳細な説明】
【技術分野】
【０００１】
この発明は、複数の画像を一覧縮小表示、いわゆるサムネイル表示し、複数の画像を順次拡大表示、いわゆるスライドショー表示するための画像表示制御方法および画像表示制御装置に関する。
【背景技術】
【０００２】
パーソナルコンピュータなどの情報処理装置による画像表示として、デジタルカメラなどで得られた複数の画像を、一方でサムネイル表示し、他方でスライドショー表示することが行われている。
【０００３】
ただし、従来のスライドショー機能では、サムネイル表示される全ての画像がスライドショー表示される。そのため、サムネイル表示される複数の画像中の特定の画像のみをスライドショー表示させるには、複数の画像ファイルから特定の画像ファイルのみを選択して一つのフォルダに収録し、そのフォルダ内の画像をスライドショー表示させる必要がある。
【発明の開示】
【発明が解決しようとする課題】
【０００４】
しかしながら、上述した従来の方法では、特定の画像のみをスライドショー表示させるには、対象の画像ファイルのみを一つのフォルダに収録しなければならないとともに、スライドショー表示させる画像を入れ替え、追加または削除し、または表示順位を入れ替える場合には、その都度、フォルダ内の画像ファイルを入れ替え、フォルダ内に画像ファイルを追加し、フォルダ内から画像ファイルを削除し、フォルダ内における画像ファイルの位置を入れ替え、または別にフォルダを作成するなどの面倒な操作を必要とする。
【０００５】
そこで、この発明は、著しく簡単な操作によって、その時々で、一覧縮小表示される複数の画像中の任意の画像のみを、任意の順序で繰り返し、順次拡大表示させることができるようにしたものである。
【課題を解決するための手段】
【０００６】
この発明の画像表示制御方法は、
一群を構成する複数の画像が一覧縮小表示されている状態で、その複数の画像中の一部または全部の複数の画像が選択されたとき、その選択された複数の画像を、順次拡大表示する画像として決定するとともに、その選択された複数の画像の選択された順に、順次拡大表示の表示順位を設定する第１のステップと、
順次拡大表示の開始が指示されたとき、上記第１のステップで決定した複数の画像を、上記第１のステップで設定した表示順位に従って、一定の時間間隔で、順次拡大表示の終了が指示されるまで繰り返し、順次拡大表示する第２のステップと、
この第２のステップで順次拡大表示中に、順次拡大表示の終了が指示されたとき、上記一群を構成する複数の画像を一覧縮小表示する状態に復帰する第３のステップと、
を備えることを特徴とする。
【発明の効果】
【０００７】
上記の構成の、この発明の画像表示制御方法によれば、ユーザは、一群を構成する複数の画像が一覧縮小表示されている状態で、その複数の画像中の、任意の一部または全部の複数の画像を、任意の順次拡大表示させようとする順序で順次選択するだけで、その時々で、一覧縮小表示される複数の画像中の任意の画像のみを、任意の順序で繰り返し、順次拡大表示させることができる。
【発明を実施するための最良の形態】
【０００８】
［１．発明の一実施形態：図１〜図１０］
住宅内などの限られたエリア内で構築される無線ＬＡＮ（Ｌｏｃａｌ  Ａｒｅａ  Ｎｅｔｗｏｒｋ）システムの一種として、テレビ放送の受信用のチューナが内蔵または接続され、モデムを介して電話回線が接続されるなど、情報ソースとして機能するベース装置と、このベース装置との間の無線通信によって、ベース装置に対してコマンドを発行して、ベース装置からテレビの画像を受信し、ベース装置を介してインターネット上の情報を受信して、ディスプレイ上に画像や情報を表示し、ベース装置を介して電子メールを送受信するモニタ装置とからなるシステムが考えられる。
【０００９】
以下、この発明を上記のシステムのモニタ装置に適用した場合を例に挙げて、この発明の一実施形態を示す。
【００１０】
（１−１．モニタ装置およびベース装置の概略構成：図１〜図４）
図１は、モニタ装置の一例の概略構成を示し、図２および図３は、ベース装置の一例の概略構成を示し、図４は、モニタ装置をスタンドによって自立させた状態を示す。
【００１１】
図１に示すように、モニタ装置１００の正面には、ＬＣＤ（液晶ディスプレイ）１０１が設けられ、その表示画面上には、タッチパネル１０３が設けられ、ＬＣＤ１０１の左右位置には、上部にスピーカ１０５，１０６が設けられ、下部に後述のベース装置２００との間の無線通信用のパッチアンテナ１０７，１０８が設けられる。
【００１２】
一方のパッチアンテナ１０７は、モニタ装置１００の前方側に半球面状の放射パターンを形成するものとされ、他方のパッチアンテナ１０８は、逆にモニタ装置１００の後方側に半球面状の放射パターンを形成するものとされて、各パッチアンテナ１０７，１０８の受信レベル情報に基づいて実際に送信および受信を行うパッチアンテナが選択されることによって、パッチアンテナ１０７，１０８全体として、全球面状の放射パターンを有するアンテナが形成されて、モニタ装置１００とベース装置２００との位置関係の如何にかかわらず、モニタ装置１００とベース装置２００との間の無線通信が良好に行われるように構成される。
【００１３】
モニタ装置１００の正面の右側部分には、スピーカ１０６の下側に、インデックスボタン１１１、ジャンプボタン１１２、およびチャンネルボタン１１３，１１４が設けられ、正面の左側部分には、スピーカ１０５の下側に、充電ランプ（ＬＥＤ）１１５、およびメール自動送受信ランプ（ＬＥＤ）１１６が設けられる。
【００１４】
インデックスボタン１１１は、これを押すことによって、ＬＣＤ１０１上に図示するようなインデックス画面を表示するものであり、ユーザは、タッチペンまたは指で、いずれかのメニューにタッチすることによって、テレビの選局、ベース装置２００に接続された外部機器の操作、インターネットへのアクセス、メールの作成・送信、アルバムの表示・作成などを行うことができる。
【００１５】
ジャンプボタン１１２は、これを押すことによって、一つ前に受信していたチャンネルを受信することができるものであり、チャンネルボタン１１３は、これを押すことによって、ＬＣＤ１０１上に表示される操作画面が、テレビ→外部機器→インターネット→メール→アルバム→テレビの順に切り換えられるものであり、チャンネルボタン１１４は、これを押すことによって、ＬＣＤ１０１上に表示される操作画面が、上記の順とは逆の順に切り換えられるものである。
【００１６】
アルバムとは、デジタルカメラで撮影してメモリースティック（登録商標）に記録した画像を、ＬＣＤ１０１上に表示し、ＬＣＤ１０１上で加工し、ＬＣＤ１０１上で作成したメールに添付し、加工後にモニタ装置１００内またはメモリースティックに保存し、あるいは、テレビの画像を静止画として、またはメールで受信した画像やインターネット上で取得した画像などを、モニタ装置１００内またはメモリースティックに保存し、ＬＣＤ１０１上で加工し、ＬＣＤ１０１上で作成したメールに添付し、あるいは、モニタ装置１００内またはメモリースティックに保存されている画像をインターネット上にアップロードするなどである。
【００１７】
画像の加工としては、画像の色や明るさなどを変え、手書き入力によって画像に文字や絵などを加えることができる。
【００１８】
モニタ装置１００の上面には、タッチペン１１９が収納される溝部１２１、スタンバイランプ（ＬＥＤ）１２２、電源ボタン１２３、回線ランプ（ＬＥＤ）１２４、回線切断ボタン１２５、印刷ボタン１２６、消音ボタン１２７、音量増強ボタン１２８、および音量低減ボタン１２９が設けられる。
【００１９】
モニタ装置１００の左側面には、ＬＣＤ１０１の明るさを調整する摘み１３１、ヘッドホン接続用の端子１３２、ＵＳＢ（Ｕｎｉｖｅｒｓａｌ  Ｓｅｒｉａｌ  Ｂｕｓ）端子１３３、キーボード接続用の端子１３４、およびＡＣパワーアダプタ接続用の端子１３５が設けられる。
【００２０】
モニタ装置１００の右側面には、メモリースティック１４１が装着されるスロット１４２、およびメモリースティック用のランプ（ＬＥＤ）１４３が設けられ、モニタ装置１００の底面には、充電端子１５１，１５２が設けられる。
【００２１】
モニタ装置１００の背面には、モニタ装置１００の把持用の手掛け部１６１が設けられるとともに、モニタ装置１００を自立させるためのＵ形のスタンド１６３が開閉可能に取り付けられ、図では省略したが、スタンド１６３で囲まれる部分にバッテリ収納部が設けられ、これにバッテリが収納される。
【００２２】
図２に示すように、ベース装置２００は、正面部２１０と後方部２２０を接合して一体化した構造とされ、正面部２１０の左右位置には、モニタ装置１００との間の無線通信用のパッチアンテナ２０７，２０８が設けられる。
【００２３】
モニタ装置１００のパッチアンテナ１０７，１０８と同様に、一方のパッチアンテナ２０７は、ベース装置２００の前方側に半球面状の放射パターンを形成するものとされ、他方のパッチアンテナ２０８は、逆にベース装置２００の後方側に半球面状の放射パターンを形成するものとされて、各パッチアンテナ２０７，２０８の受信レベル情報に基づいて実際に送信および受信を行うパッチアンテナが選択されることによって、パッチアンテナ２０７，２０８全体として、全球面状の放射パターンを有するアンテナが形成されて、ベース装置２００とモニタ装置１００との位置関係の如何にかかわらず、ベース装置２００とモニタ装置１００との間の無線通信が良好に行われるように構成される。
【００２４】
正面部２１０は、後方側に傾いたものとされ、その中央下部に、モニタ装置１００をベース装置２００に立て掛けるための支持体２１１が設けられ、支持体２１１の内側に、充電端子２０１，２０２が設けられ、支持体２１１の表面に、電源ランプ（ＬＥＤ）２０４が設けられ、正面部２１０の中央に、回線ランプ（ＬＥＤ）２０５が設けられる。
【００２５】
また、図３に示すように、後方部２２０の下部背面には、電源ボタン２３１、ＡＣパワーアダプタ接続用の端子２３２、ＶＨＦ／ＵＨＦ端子２３９、回線端子２４１、ＡＤＳＬモデムやＣＡＴＶモデムなどの接続用のイーサネット（登録商標）端子２４２、ＡＶマウス接続用の端子２４３，２４４、Ｓ映像入力端子２４５、映像音声入力端子２４６，２４７、映像音声出力端子２４８、およびプリンタ接続用のＵＳＢ端子２４９などが設けられる。
【００２６】
上述したモニタ装置１００およびベース装置２００では、ユーザは、ベース装置２００を居間などの場所に固定的に配置し、モニタ装置１００を住居内や庭などの任意の場所に持ち運んで、任意の場所で手元のモニタ装置１００によって、テレビ放送を受信し、インターネットにアクセスし、電子メールを送受信するなどの機能を実行することができる。
【００２７】
この場合、モニタ装置１００を手に持って使用することもできるが、図４に示すように、スタンド１６３を開いて、モニタ装置１００を適当な面上に適当な傾斜角で自立させることもできる。
【００２８】
また、モニタ装置１００をベース装置２００の正面部２１０に立て掛けて使用することもできる。この場合、モニタ装置１００の底面の充電端子１５１，１５２が、ベース装置２００の支持体２１１の内側の充電端子２０１，２０２に接触し、接続されることによって、モニタ装置１００に装着されたバッテリを、ベース装置２００によって充電することができる。
【００２９】
（１−２．ベース装置およびモニタ装置の機能ブロック構成：図５および図６）
図５は、ベース装置２００の機能ブロック構成の一例を示す。制御部２７０は、ＣＰＵ２７１、ＣＰＵ２７１が実行すべきプログラムや固定データなどが書き込まれたＲＯＭ２７２、およびＣＰＵ２７１のワークエリアなどとして機能するＲＡＭ２７３によって構成される。
【００３０】
ＶＨＦ／ＵＨＦ端子２３９には、ＶＨＦ／ＵＨＦアンテナ１が接続され、ＶＨＦ／ＵＨＦアンテナ１で受信された地上波テレビ放送信号が、ベース装置２００内のＶＨＦ／ＵＨＦチューナ２５９で選局復調され、さらに映像データおよび音声データに変換された上で、バス２７４に送出される。
【００３１】
回線端子２４１には、電話回線２が接続され、回線端子２４１は、回線インタフェース２６１およびモデム２６２を介してバス２７４に接続される。
【００３２】
映像音声入力端子２４６には、第１外部機器６として、例えばデジタルＣＳチューナやデジタルＢＳチューナなどが接続され、これからの映像データおよび音声データが、ベース装置２００内の外部入力インタフェース２６６を介して、バス２７４に送出される。
【００３３】
映像音声入力端子２４７には、第２外部機器７として、例えばＤＶＤプレーヤやハードディスクレコーダなどが接続され、これからの映像データおよび音声データが、ベース装置２００内の外部入力インタフェース２６７を介して、バス２７４に送出される。
【００３４】
端子２４３および２４４には、ＡＶマウス３および４が接続されるとともに、端子２４３および２４４は、ベース装置２００内のインタフェース２６３および２６４を介してバス２７４に接続され、制御部２７０からのコマンド信号によってＡＶマウス３および４の発光部から送出された赤外線遠隔操作信号が、第１外部機器６および第２外部機器７に設けられた受光部で受信されることによって、第１外部機器６および第２外部機器７が操作される。
【００３５】
ＵＳＢ端子２４９には、プリンタ９が接続され、バス２７４に送出された印刷用のコマンドおよびデータが、ＵＳＢインタフェース２６９を介してプリンタ９に供給される。
【００３６】
バス２７４には、無線通信部２８０が接続され、モニタ装置１００に送信されるべき各種のデータやコマンドが、無線通信部２８０において、所定の変調方式（例えばＤＳ−ＳＳ）で変調され、所定周波数帯（例えば２．４ＧＨｚ帯）の高周波信号に変換されて、パッチアンテナ２０７，２０８からモニタ装置１００に送信されるとともに、モニタ装置１００から送信されたコマンドや各種のデータが、パッチアンテナ２０７，２０８で受信され、無線通信部２８０において、周波数変換され、復調されて、バス２７４に送出される。
【００３７】
図６は、モニタ装置１００の機能ブロック構成の一例を示す。制御部１７０は、ＣＰＵ１７１、ＣＰＵ１７１が実行すべき後述のスライドショー設定処理ルーチンおよびスライドショー表示処理ルーチンを含むプログラムや固定データなどが書き込まれたＲＯＭ１７２、およびＣＰＵ１７１のワークエリアなどとして機能するＲＡＭ１７３によって構成される。
【００３８】
バス１７４には、画像ファイルなどが書き込まれるユーザメモリ１７５が接続されるとともに、図１に示したスロット１４２にメモリースティック１４１が装着されることによって、メモリースティック１４１が接続される。
【００３９】
バス１７４には、無線通信部１８０が接続され、ベース装置２００に送信されるべきコマンドや各種のデータが、無線通信部１８０において、所定の変調方式で変調され、所定周波数帯の高周波信号に変換されて、パッチアンテナ１０７，１０８からベース装置２００に送信されるとともに、ベース装置２００から送信された各種のデータやコマンドが、パッチアンテナ１０７，１０８で受信され、無線通信部１８０において、周波数変換され、復調されて、バス１７４に送出される。
【００４０】
バス１７４には、表示制御部１９１を介してＬＣＤ１０１が接続されるとともに、Ｄ／Ａコンバータ１９５および音声増幅回路１９６を介してスピーカ１０５，１０６が接続される。
【００４１】
また、タッチパネル１０３が、座標検出部１９３を介してバス１７４に接続されるとともに、図１に示したインデックスボタン１１１などを含む操作部１０９が、インタフェース１９９を介してバス１７４に接続される。
【００４２】
（１−３．サムネイル表示およびスライドショー表示：図７〜図１０）
上述したモニタ装置１００では、以下に示すように、メモリースティック１４１に記録されている複数の画像、または本体のユーザメモリ１７５に記録されている複数の画像が、サムネイル表示されるとともに、この発明の方法によってスライドショー表示される。
【００４３】
ユーザメモリ１７５に記録される画像は、テレビの画像、メールで受信した画像、インターネット上で取得した画像、またはメモリースティック１４１に記録された画像などである。例えば、テレビの視聴中に、ＬＣＤ１０１の表示画面の最下部に表示された操作画面中の画面保存ボタンにタッチすると、その時点でのテレビの画像を静止画として、ユーザメモリ１７５またはメモリースティック１４１に記録することができる。
【００４４】
図１のようなインデックス画面から「アルバム」を選択すると、ＬＣＤ１０１上には、図７に示すようなサムネイル画面１０が表示される。ただし、図７は、スロット１４２にメモリースティック１４１が装着されていて、メモリースティック１４１に記録されている複数の画像が一覧縮小表示され、サムネイル画面１０の左上部にメモリースティック１４１に記録されている画像であることを示すマーク１１が表示された場合である。
【００４５】
サムネイル画面１０中の各画像に対しては、その左下にチェックボックス１２が表示されるとともに、その右側に画像のファイル名が表示される。ファイル名は、デジタルカメラで第１次的に付加されたもの、またはモニタ装置１００の文字入力機能によって書き替えられたものである。
【００４６】
サムネイル画面１０の下側には、スライドショー開始ボタン１３、お絵かきボタン１４、切換ボタン１５などを有するアルバム操作画面が表示される。
【００４７】
ユーザがタッチペン１１９または指で、スライドショー開始ボタン１３にタッチすれば、後述のスライドショー表示が実行され、切換ボタン１５にタッチすれば、サムネイル画面１０として、ユーザメモリ１７５に記録されている複数の画像が一覧縮小表示される。ユーザメモリ１７５に記録されている画像が表示されるときには、マーク１１は消去される。
【００４８】
図７は、メモリースティック１４１に１２枚の画像が記録されている場合で、同図の右側に示すように、これらの画像を画像Ａ〜Ｌとする。もちろん、メモリースティック１４１に１１枚以下または１３枚以上の画像が記録されていてもよく、１３枚以上の画像が記録されている場合には、サムネイル画面１０を上下にスクロールすることによって、全ての画像を一覧することができる。
【００４９】
図７は、画像Ａ〜Ｌのいずれも、スライドショー表示用に選択されてなく、チェックボックス１２には、いずれの画像についても、図８に示すようなチェック（レ点）が付加されていない状態を示す。
【００５０】
この状態で、ユーザがタッチペン１１９または指で、ある画像のチェックボックスにタッチすると、後述のスライドショー設定処理ルーチンによって、その画像がスライドショー表示用に選択されたものとして、その画像のチェックボックスにチェックが付加されるとともに、その画像のスライドショー表示における表示順位が設定される。
【００５１】
逆に、チェックが付加されているチェックボックスにタッチすると、その画像のスライドショー表示用の選択が取り消されたものとして、その画像のチェックボックスのチェックが消去されるとともに、その画像を除く選択されている画像の間でスライドショー表示における表示順位が再設定される。
【００５２】
図９は、このモニタ装置１００のＣＰＵ１７１が行うスライドショー設定処理ルーチンの一例を示す。
【００５３】
この例のスライドショー設定処理ルーチン２０では、図７または図８のようなサムネイル表示モードでスライドショー設定処理を開始して、まずステップ２１で、スライドショー開始ボタン１３にタッチされたか否かを判断し、タッチされたときには、スライドショー設定処理を終了して、後述のスライドショー表示処理ルーチンに移行する。
【００５４】
図９では省略したが、スライドショー開始ボタン１３にタッチされる以外に、サムネイル表示モードを終了させる操作が実行された場合には、スライドショー表示処理ルーチンに移行することなく、スライドショー設定処理を終了する。
【００５５】
ステップ２１で、スライドショー開始ボタン１３にタッチされていないと判断したときには、ステップ２２に進んで、いずれかの画像のチェックボックス１２にタッチされたか否かを判断し、タッチされたときには、ステップ２２からステップ２３に進んで、選択か選択の取消かを判断する。
【００５６】
そして、チェックが付加されていないチェックボックスにタッチされたときには、選択と判断して、ステップ２３からステップ２４に進んで、その選択された画像のチェックボックスにチェックを付加し、次にステップ２５に進んで、その選択された画像の表示順位を設定し、さらにステップ２６に進んで、その選択された画像のファイル名および表示順位を登録した上で、ステップ２１に戻る。
【００５７】
したがって、図７のように、いずれの画像も選択されていない状態で、最初に画像Ｈのチェックボックスにタッチされると、画像Ｈが第１順位とされ、次に画像Ｌのチェックボックスにタッチされると、画像Ｌが第２順位とされ、次に画像Ｆのチェックボックスにタッチされると、画像Ｆが第３順位とされ、結果的に、図８のように画像Ｆ，Ｈ，Ｌのチェックボックスにチェックが付加された状態となる。
【００５８】
選択された画像のファイル名および表示順位は、スライドショー表示の設定テーブルとして、メモリースティック１４１に記録されている画像については、メモリースティック１４１またはＲＡＭ１７３に書き込まれ、ユーザメモリ１７５に記録されている画像については、ユーザメモリ１７５またはＲＡＭ１７３に書き込まれ、それぞれスライドショー表示の際に参照される。
【００５９】
上記とは逆に、チェックが付加されているチェックボックスにタッチされて、ステップ２３で選択の取消と判断したときには、ステップ２３からステップ２７に進んで、その取り消された画像のチェックボックスのチェックを消去し、次にステップ２８に進んで、その取り消された画像を除く選択されている画像の間で表示順位を再設定し、さらにステップ２９に進んで、選択されている画像のファイル名および表示順位を再登録した上で、ステップ２１に戻る。
【００６０】
したがって、上記のように画像Ｈが第１順位、画像Ｌが第２順位、画像Ｆが第３順位とされて、図８のように画像Ｆ，Ｈ，Ｌのチェックボックスにチェックが付加された状態で、画像Ｈのチェックボックスにタッチされると、画像Ｈが取り消されて、画像Ｌが第１順位に、画像Ｆが第２順位に、それぞれ繰り上げられ、画像Ｈではなく、画像Ｌのチェックボックスにタッチされると、画像Ｌが取り消されて、画像Ｈは第１順位のままとされ、画像Ｆが第２順位に繰り上げられる。
【００６１】
また、画像Ｈが第１順位、画像Ｌが第２順位、画像Ｆが第３順位とされた状態で、最初に画像Ｈのチェックボックスにタッチされ、次に画像Ａのチェックボックスにタッチされると、スライドショー設定処理ルーチン２０によって、画像Ｌが第１順位、画像Ｆが第２順位、画像Ａが第３順位となる。
【００６２】
さらに、画像Ｈが第１順位、画像Ｌが第２順位、画像Ｆが第３順位とされた状態で、画像Ｈおよび画像Ｌのチェックボックスに順次タッチされた後、画像Ｌおよび画像Ｈのチェックボックスに再度、画像Ｌが先に順次タッチされると、当初の順位とは逆に、画像Ｆが第１順位、画像Ｌが第２順位、画像Ｈが第３順位となる。
【００６３】
ユーザは、このようにスライドショー表示させる画像を選択し、表示順位を決定したら、スライドショー開始ボタン１３にタッチする。これによって、ＣＰＵ１７１は、スライドショー設定処理を終了して、図１０に示すようなスライドショー表示処理ルーチンを実行する。
【００６４】
この例のスライドショー表示処理ルーチン３０では、スライドショー開始操作（スライドショー開始ボタン１３へのタッチ）によってスライドショー表示処理を開始して、まずステップ３１で、上記の設定テーブルを参照して、スライドショー表示用に選択されている画像があるか否かを判断する。
【００６５】
そして、図７のように選択されている画像が一つもなければ、ステップ３１からステップ３２に進んで、サムネイル表示される全ての画像を順次、すなわち図７の場合には画像Ａ〜Ｌを順次、ＬＣＤ１０１上に拡大表示する。
【００６６】
拡大表示とは、一つの画像を、表示画面全体に表示し、あるいは、表示画面の上下または左右の一部の領域を除いた、図７のように縮小表示する場合の一つの画像より十分大きい領域に表示することである。
【００６７】
スライドショー表示の時間間隔は、あらかじめ、設定画面によって、例えば、３秒、５秒、１０秒、３０秒、１分、５分、１５分、６０分の中から選択できるように、モニタ装置１００が構成される。例えば、３秒に設定された場合には、最初に画像Ａが３秒間表示され、次に画像Ｂが３秒間表示されるように、画像Ａ〜Ｌが順次表示される。
【００６８】
ＣＰＵ１７１は、表示中に、ステップ３３で、表示画面にタッチされるなどのスライドショー表示を終了させる操作があったか否かを判断し、終了操作がなければ、スライドショー表示を続行するが、終了操作があったときには、スライドショー表示処理を終了する。
【００６９】
一方、ステップ３１で、選択されている画像があると判断したときには、ステップ３４に進んで、複数の画像が選択されているか否かを判断する。
【００７０】
そして、一つの画像しか選択されていないときには、ステップ３４からステップ３５に進んで、その選択されている一つの画像を拡大表示する。この場合は、狭義にはスライドショー表示と言えないが、広義にスライドショー表示の一種とする。
【００７１】
この場合も、ＣＰＵ１７１は、表示中に、ステップ３６で、スライドショー表示を終了させる操作があったか否かを判断し、終了操作がなければ、スライドショー表示を続行するが、終了操作があったときには、スライドショー表示処理を終了する。
【００７２】
ステップ３４で、複数の画像が選択されていると判断したときには、ステップ３７に進んで、その選択されている複数の画像を、上記のように設定されている順番で順次、拡大表示する。
【００７３】
例えば、図８につき上述したように、画像Ｈが第１順位、画像Ｌが第２順位、画像Ｆが第３順位とされて、画像Ｈ，Ｌ，Ｆが選択されている場合には、最初に画像Ｈが所定時間表示され、続いて画像Ｌが同じ時間表示され、続いて画像Ｆが同じ時間表示され、続いて画像Ｈが同じ時間表示されるように、画像Ｈ，Ｌ，Ｆが順次表示される。
【００７４】
この場合も、ＣＰＵ１７１は、表示中に、ステップ３８で、スライドショー表示を終了させる操作があったか否かを判断し、終了操作がなければ、スライドショー表示を続行するが、終了操作があったときには、スライドショー表示処理を終了する。
【００７５】
上述した３つの態様のいずれかのスライドショー表示中に、表示画面にタッチされると、スライドショー表示は終了し、図７または図８のようなサムネイル表示モードとなる。
【００７６】
また、いずれかのスライドショー表示中に、表示画面にタッチされる以外の、スライドショー表示を終了させる操作があったときには、スライドショー表示は終了し、その操作に応じた処理ルーチンが実行される。
【００７７】
上述した実施形態によれば、ユーザは、対象の画像ファイルのみを一つのフォルダに収録するような面倒な操作をすることなく、サムネイル画面１０中の必要な画像のチェックボックスにタッチするだけの簡単な操作によって、サムネイル表示される複数の画像中の任意の画像のみを任意の順序でスライドショー表示させることができる。
【００７８】
しかも、スライドショー表示させる画像を入れ替え、追加または削除し、または表示順位を入れ替える場合にも、その都度、フォルダ内の画像ファイルを入れ替え、フォルダ内に画像ファイルを追加し、フォルダ内から画像ファイルを削除し、フォルダ内における画像ファイルの位置を入れ替え、または別にフォルダを作成するなどの面倒な操作を必要とせず、サムネイル画面１０中の必要な画像のチェックボックスにタッチするだけでよい。
【００７９】
［２．他の実施形態］
チェックボックス１２だけでなく、画像やファイル名などの表示部分にタッチされたときにも、画像の選択、または選択の取消と判断されるように、モニタ装置１００を構成することもできる。
【００８０】
また、画像が選択されたとき、そのチェックボックスに、レ点の代わりに×点などが付加され、あるいは、その時点で設定された表示順位が数字で付加されるように、モニタ装置１００を構成することもできる。
【００８１】
また、画像保存用の外部記憶装置として、メモリースティック以外のメモリカードや、メモリカード以外の外部記憶媒体を用いることもでき、あるいは、外部記憶装置を用いないで、図１に示したＵＳＢ端子１３３のような、デジタルカメラなどから直接、画像を取り込む機能を設けてもよい。
【００８２】
さらに、上述したモニタ装置およびベース装置からなるシステムのモニタ装置に限らず、この発明は、パーソナルコンピュータなどの情報処理装置にも適用することができる。その場合、ディスプレイの表示画面上にタッチパネルを設けることなく、サムネイル画面上の画像部分またはこれに関連する部分がクリックされることによって、画像の選択、または選択の取消と判断されるように、情報処理装置を構成することができる。
【図面の簡単な説明】
【００８３】
【図１】モニタ装置の一例を示す図である。
【図２】ベース装置の一例の正面および側面を示す図である。
【図３】ベース装置の一例の背面を示す図である。
【図４】モニタ装置をスタンドによって自立させた状態を示す図である。
【図５】ベース装置の機能ブロック構成の一例を示す図である。
【図６】モニタ装置の機能ブロック構成の一例を示す図である。
【図７】いずれのサムネイル画像にもスライドショー表示用のチェックが付加されていない状態を示す図である。
【図８】一部のサムネイル画像にスライドショー表示用のチェックが付加されている状態を示す図である。
【図９】スライドショー設定処理ルーチンの一例を示す図である。
【図１０】スライドショー表示処理ルーチンの一例を示す図である。
【符号の説明】
【００８４】
主要部については図中に全て記述したので、ここでは省略する。
【図１】
2007256971.tif 000003
【図２】
2007256971.tif 000004
【図３】
2007256971.tif 000005
【図４】
2007256971.tif 000006
【図５】
2007256971.tif 000007
【図６】
2007256971.tif 000008
【図７】
2007256971.tif 000009
【図８】
2007256971.tif 000010
【図９】
2007256971.tif 000011
【図１０】
2007256971.tif 000012